(57)【要約】【課題】コルク栓の乾燥を防止するとともに、コルク栓を介したボトル内への臭気の進入を防止し、かつコルク栓を介してボトル内のワインの呼吸を行わせることができるワインボトル用キャップを提供する。【解決手段】ワインボトル用キャップ１を内筒部２と外筒部３とで構成する。内筒部２には、少なくともボトル４の口の部分６をその内部に形成した受容空間７内へ挿脱自在に収容できるように形成するとともに、ボトル４の口の部分６へ係止する係止部８を設ける。一方、外筒部３は、内筒部２との間に密閉された保湿空間９を形成する。そして、内筒部２を熱伝導率の高い不透水性の部材で形成し、外筒部３を透過性合成樹脂またはガラスで形成する。【選択図】図１
2011006146.tif 000002
【特許請求の範囲】
【請求項１】
コルク栓で密封されたボトルの口の部分へ被せることによって、コルク栓の乾燥を防止するとともに、コルク栓を介したボトル内への臭気の進入を防止し、かつコルク栓を介してボトル内のワインの呼吸を行わせることができるワインボトル用キャップであって、
少なくともボトルの口の部分をその内部の受容空間内へ挿脱自在に収容できるように形成するとともに、ボトルの口の部分もしくはボトルの首の部分へ係止する係止部を形成した内筒部と、
前記内筒部との間に密閉された保湿空間を形成するように内筒部と一体に形成された外筒部と、
から構成されていることを特徴とするワインボトル用キャップ。
【請求項２】
コルク栓で密封されたボトルの口の部分へ被せることによって、コルク栓の乾燥を防止するとともに、コルク栓を介したボトル内への臭気の進入を防止し、かつコルク栓を介してボトル内のワインの呼吸を行わせることができるワインボトル用キャップであって、
少なくともボトルの口の部分をその内部の受容空間内へ挿脱自在に収容できるように形成するとともに、ボトルの口の部分もしくはボトルの首の部分へ係止する係止部を形成した熱伝導率の高い不透水性の部材からなる内筒部と、
前記内筒部との間に密閉された保湿空間を形成するように内筒部と一体に形成された透過性合成樹脂材またはガラス材からなる外筒部と、
から構成されていることを特徴とするワインボトル用キャップ。
【請求項３】
前記保湿空間の一部分には、保湿用の水を貯えるための水溜め部が形成されていることを特徴とする請求項１または請求項２記載のワインボトル用キャップ。
【請求項４】
前記外筒部は、保湿用の水の補給を行うための開閉自在な蓋を備えた注入口を設けていることを特徴とする請求項１または請求項２記載のワインボトル用キャップ。
【発明の詳細な説明】
【技術分野】
【０００１】  本発明は、ワインボトル用キャップに関するものであって、特に、コルク栓で密封されたボトルの口の部分へ被せることによって、コルク栓の乾燥を防止するとともに、コルク栓を介したボトル内への臭気の進入を防止し、かつコルク栓を介してボトル内のワインの呼吸を行わせることができるワインボトル用キャップに関する。
【背景技術】
【０００２】  コルク栓で密封されたワインボトルは、周知のように、ボトル内のワインの熟成を図るために、コルク栓を介して呼吸することができるように、コルク栓を常に湿らせておく必要がある。【０００３】  そのため、ワインボトルは、一定の湿度と温度に保たれた直射日光が当たらない場所に横にした状態で保存されることが望ましい。しかし、このような特定の条件を備えた保存場所を確保することは、一般家庭や商店では困難である。【０００４】  このような課題を解決するための従来の方法としては、例えば、コルク栓で密封されたワインボトルの口の部分に、コルク栓乾燥防止用キャップを被せることによって、コルク栓の乾燥を防止するとともに、コルク栓を介してボトル内のワインの呼吸を行わせることができるように構成したものが提案されている。（例えば、特許文献１参照）【０００５】  この特許文献１のコルク栓乾燥防止用キャップは、キャップをワインボトルの口の部分に被せることにより、内筒部と外筒部との間に設けられたスポンジ等の保湿部材からコルク栓に湿気が供給されて、コルク栓の乾燥を防止するとともに、ボトル内のワインがコルク栓を介して呼吸できるように、外筒部および内筒部にそれぞれ開孔を設け、外気を流動させるように構成されている。
【先行技術文献】
【特許文献】
【０００６】
【特許文献１】特開平１１−５９７１８号公報
【発明の概要】
【発明が解決しようとする課題】
【０００７】  しかし、上述した特許文献１のコルク栓乾燥防止用キャップにあっては、コルク栓に湿気を供給するために、内筒部と外筒部との間にスポンジ等からなる保湿部材を設ける必要があるため、キャップ製作過程において、内筒部と外筒部との間に保湿部材を収納する手間が掛かる上に、ワインボトルの長期保存時に、保湿部材にカビや雑菌が繁殖する等の恐れがあった。【０００８】  また、上述した特許文献１のコルク栓乾燥防止用キャップにあっては、保湿部材に水等の液体を含ませる際に、含ませる液体の適量が分かりにくく、例えば、含ませた液体の量が過剰な場合は、内筒部の受容空間に液体が溜まり、コルク栓が液体に漬かった状態となって、ボトル内のワインの呼吸を阻害する恐れがある。【０００９】  また、このような状態にならないようにするために、保湿部材へとりあえず液体を含ませた後、キャップ全体を振って、過剰な液体を排出する必要があった。この時、保湿部材に含ませた液体をどの程度排出させればよいのか、また、どの程度排出させることができたのかが分かりにくく、例えば、思っていた以上に液体を排出してしまったために、予定していた期間よりも長く保湿状態を維持することができず、コルク栓が乾燥してしまうというよう不具合が生じる可能性がある。また、保湿部材に対する液体の補給のタイミングも見ただけでは判断することが困難であり、極めて取り扱いが難しいという問題点があった。【００１０】  さらに、上述した特許文献１のコルク栓乾燥防止用キャップにあっては、ボトル内のワインがコルク栓を介して呼吸できるように、外筒部および内筒部にそれぞれ開孔を設け、外気を流動させるように構成されている。この結果、ワインボトルの保存時に、キャップおよびコルク栓を介してワインボトルの周囲の匂い、例えば、ワインボトルの保存場所が冷蔵庫であれば、その冷蔵庫内の匂いがボトル内へ侵入し、ボトル内のワインがその匂いを吸収し、ワインの香りや味に影響を与えるという問題点があった。【００１１】  また、特に、高級なワインの品質管理においては、他品種一品一様の干渉防止管理が厳格に求められる。しかし、ワインを販売する店では、顧客の求めに即応することができるようにするために、多くの種類のワインを店内の陳列棚などに並べた状態で展示や保管を行わなければならないのが現状である。このような状態の店において、上述した特許文献１のコルク栓乾燥防止用キャップを使用した場合には、コルク栓の乾燥を防止することはできたとしても、店内の種々の匂いが外筒部および内筒部に設けた開孔とコルク栓を介してボトル内へ進入し、ボトル内のワインへの匂い移りを防止することは構造上不可能であり、他品種一品一様の干渉防止管理を行うことができないという問題点があった。【００１２】  本発明は、このような従来のコルク栓乾燥防止用キャップが有していた問題を解決しようとするものであり、コルク栓で密封されたワインボトルの口の部分へ被せることによって、コルク栓の乾燥を防止するとともに、コルク栓を介したボトル内への臭気の進入を防止し、かつコルク栓を介してボトル内のワインの呼吸を行わせることができるワインボトル用キャップを提供することを目的としている。
【課題を解決するための手段】
【００１３】  そして、本発明のワインボトル用キャップは、上記の目的を達成するために、コルク栓で密封されたボトルの口の部分へ被せることによって、コルク栓の乾燥を防止するとともに、コルク栓を介したボトル内への臭気の進入を防止し、かつコルク栓を介してボトル内のワインの呼吸を行わせることができるワインボトル用キャップであって、少なくともボトルの口の部分をその内部の受容空間内へ挿脱自在に収容できるように形成するとともに、ボトルの口の部分もしくはボトルの首の部分へ係止する係止部を形成した内筒部と、この内筒部との間に密閉された保湿空間を形成するように内筒部と一体に形成された外筒部とから構成されている。【００１４】  また、第２の課題解決手段は、コルク栓で密封されたボトルの口の部分へ被せることによって、コルク栓の乾燥を防止するとともに、コルク栓を介したボトル内への臭気の進入を防止し、かつコルク栓を介してボトル内のワインの呼吸を行わせることができるワインボトル用キャップであって、少なくともボトルの口の部分をその内部の受容空間内へ挿脱自在に収容できるように形成するとともに、ボトルの口の部分もしくはボトルの首の部分へ係止する係止部を形成した熱伝導率の高い不透水性の部材からなる内筒部と、この内筒部との間に密閉された保湿空間を形成するように内筒部と一体に形成された透過性合成樹脂材またはガラス材からなる外筒部とから構成されている。【００１５】  さらに、本発明は、上記第１及び第２の課題解決手段において、以下の態様の発明をも提供するものである。【００１６】  すなわち、前記保湿空間の一部分には、保湿用の水を貯えるための水溜め部が形成されていることを特徴としている。【００１７】  また、前記外筒部は、保湿用の水の補給を行うための開閉自在な蓋を備えた注入口を設けていることを特徴としている。【００１８】  上記第１の課題解決手段による作用は次のとおりである。本発明のワインボトル用キャップは、使用する前に、保湿空間内へ適量の水を注入する。その後、内筒部に形成した受容空間内にワインボトルの口の部分を挿入し、コルク栓の上端部分を保湿空間内に突出させた状態でキャップをワインボトルに係止する。この係止により、保湿空間を完全に密閉状態とする。密閉された保湿空間は、環境の温度変化に追従する湿潤環境を形成する。【００１９】  すなわち、キャップの外部温度が上昇すると保湿空間内の水が気化して水蒸気化し、また、温度が下がれば結露する循環が保湿空間内で発生し、コルク栓の乾燥を防止するとともに、ボトル内のワインの呼吸を行わせる。さらに、コルク栓は、密閉された保湿空間内に位置するため、コルク栓を介したボトル内への臭気の進入を防止する。【００２０】  また、上記第２の課題解決手段による作用は、内筒部を熱伝導率の高い不透水性の部材を用いて形成したことにより、環境の温度変化に極めて敏感に追従する湿潤環境を形成することができ、コルク栓に確実に湿気を供給することができる。また、外筒部を透過性の合成樹脂材を用いて形成したことにより、キャップ内部の状態を容易に確認することができる。【００２１】  また、上記第３の課題解決手段による作用は、保湿空間の一部分に、保湿用の水を貯えるための水溜め部を形成したことにより、長期間に亘り、湿潤環境を維持することが可能となり、コルク栓に湿気を供給することができる。【００２２】  さらに、上記第３の課題解決手段による作用は、外筒部に保湿用の水の補給を行うための開閉自在な蓋を備えた注入口を設けたことにより、水の補給か容易となり、長期間に亘り、湿潤環境を維持することができ、コルク栓に確実に湿気を供給することができる。
【発明の効果】
【００２３】  上述したように、本発明のワインボトル用キャップは、コルク栓で密封されたワインボトルの口の部分へ被せることによって、コルク栓の乾燥を防止するとともに、コルク栓を介したボトル内への臭気の進入を防止し、かつコルク栓を介してボトル内のワインの呼吸を行わせることができる。
【図面の簡単な説明】
【００２４】
【図１】本発明に係るワインボトル用キャップの第１の実施例を示す説明図である。
【図２】本発明に係るワインボトル用キャップの第２の実施例を示す説明図である。
【図３】本発明に係るワインボトル用キャップの第３の実施例を示す説明図である。
【図４】本発明に係るワインボトル用キャップの第４の実施例を示す説明図である。
【発明を実施するための形態】
【００２５】  以下、本発明を実施するための形態を図１〜図４に基づいて説明する。
なお、本発明は、以下に述べる各実施の形態になんら限定されるものではなく、その要旨を逸脱しない範囲において、種々の態様で実施しうるものである。
【実施例１】
【００２６】  まず、図１に基づいて、本発明の第１の実施の形態について説明する。【００２７】  図１において、（ａ）はワインボトル用キャップ１を示す断面図、（ｂ）はワインボトル用キャップ１を構成する内筒部２と外筒部３を接着等の手段により一体に接合する前の状態を示す斜視図、（ｃ）はワインボトル用キャップ１をボトル４に被せた状態を示す要部断面図である。【００２８】  図１において、ワインボトル用キャップ１は、透過性合成樹脂またはガラスあるいはアルミニウム等の熱伝導性の高い金属材料からなる不透水性の部材を用いて成型された内筒部２と、透過性合成樹脂またはガラス等の不透水性の部材を用いて成型された外筒部３とで構成され、内筒部２の下端外周部分と外筒部３の下端内周部分とを接着等の手段によって接合することにより、一体に形成されている。【００２９】  内筒部２は、筒状に形成され、その内部の受容空間７へコルク栓５によって密栓されたボトル４の少なくとも口の部分６を挿入または離脱自在に形成するとともに、上端内周壁面に、ボトル４の口の部分６（もしくはボトルの首の部分）へ係止する係止部８を設けている。【００３０】  この係止部８は、ボトル４の口の部分６へ嵌合してワインボトル用キャップ１が簡単に抜け落ちることがないように弾性を有する部材を用いて形成されている。なお、この係止部８は、内筒部２の上端縁の内周壁面部分に突出部を一体に成型して、ボトル４の口の部分６（もしくはボトルの首の部分）に嵌合するように構成することも可能である。【００３１】  一方、外筒部３は、断面逆Ｕ字状のカップ形状に形成され、図１の（ａ）に示すように、その内部空間内へ内筒部２を挿入した状態で一体に結合し、内筒部２の外壁面と外筒部３の内壁面との間に保湿空間９を形成している。また、保湿空間９を形成する内筒部２と外筒部３の接合部付近には、保湿用の水を貯えるための水溜め部１０が形成されている。なお、この水溜め部１０は、必ず設けなければならない構成ではなく、保湿空間９を構成する内壁面に付着した水滴程度で長期間に亘り湿潤環境を保持することは可能である。【００３２】  上記のように構成された本発明のワインボトル用キャップ１は、使用する前に、受容空間７を通じて保湿空間９内へ適量の水を注入する。この保湿空間９へ注入される水は、例えば、ワインボトル用キャップ１を洗浄した際に、受容空間７を通じて保湿空間９内へ流入し、内壁面に水滴として付着した水と、水溜め部１０に溜まった水を用いることもできる。【００３３】  保湿空間９へ水を注入した後、受容空間７内にボトル４の口の部分６を挿入し、コルク栓５の上端部分を保湿空間９内へ突出させた状態でワインボトル用キャップ１をボトル４に係止する。この係止により、保湿空間９を完全に密閉状態となる。密閉された保湿空開９は、環境の温度変化に追従する湿潤環境を形成することができる。【００３４】  すなわち、ワインボトル用キャップ１の外部温度が上昇すると保湿空間９内の水が気化して水蒸気化し、また、温度が下がれば結露するという循環を保湿空間９内において発生させることができ、コルク栓５の乾燥を防止するとともに、ボトル４内のワインの呼吸を行わせることができる。さらに、コルク栓５は密閉された保湿空間９内に位置するため、コルク栓５を介したボトル４内への臭気の進入を確実に防止することができる。【００３５】  このように、コルク栓５を介したボトル４内への臭気の進入を確実に防止することができるという効果を発揮することによって、ワインの品質管理を行なう上で、特に、厳格に求められている他品種一品一様の干渉防止管理を確実かつ容易に実行することができる。この結果、ワインを取り扱う店においては、匂い移りを全く気にすることなく、多種多様なワインを同じ陳列棚に並べて、展示や保管を行うことが可能となる。【００３６】  また、内筒部２をアルミニウム等の熱伝導率の高い金属材料からなる不透水性の部材を用いて形成した場合には、環境の温度変化に極めて敏感に追従する湿潤環境を形成することができ、コルク栓５に湿気を供給することができる。【００３７】  さらに、外筒部３を透過性合成樹脂またはガラスを用いて形成したことにより、ワインボトル用キャップ１の内部の状態を容易に視認することができる。従って、水の補給量の確認や補給のタイミング等をユーザーが正確に把握することが可能となるとともに、コルク栓５が湿潤環境内にあることをユーザーが容易に確認することができるため、安心感を与えることができ、ワインボトル用キャップ１の商品価値を高めることができる。【００３８】  また、本発明のワインボトル用キャップ１は、保湿空間９を完全な密閉状態で形成しているため、ボトル４を斜め横置き状態で保管した場合においても、水溜め部１０等に溜まっている水が外部に漏れ出す等の恐れは全くなく、保湿空間９内の湿潤環境を確実に保持することができる。
【実施例２】
【００３９】  次に、図２に基づいて、本発明の第２の実施の形態について説明する。【００４０】  図２において、（ａ）はワインボトル用キャップ１１を示す断面図、（ｂ）はワインボトル用キャップ１１を構成する内筒部１２と外筒部１３を接着等の手段により一体に接合する前の状態を示す斜視図、（ｃ）はワインボトル用キャップ１１をボトル４に被せた状態を示す要部断面図である。【００４１】  図２において、ワインボトル用キャップ１１は、透過性合成樹脂またはガラス等の不透水性の部材を用いて成型された断面Ｕ字状の内外２つの周壁を有するリング形状の内筒部１２と、合成樹脂等の不透水性の部材を用いて断面逆Ｕ字状に成型された外筒部１３とで構成され、外筒部１３の下端部分を内筒部１２の断面Ｕ字状の上端縁開口部分へ嵌合させることにより一体に構成されている。【００４２】  内筒部１２は、断面Ｕ字状の周壁を有するリング形状に形成され、その内部の受容空間１４内へコルク栓５によって密栓されたボトル４の少なくとも口の部分６を挿入または離脱自在に形成するとともに、断面Ｕ字状の周壁内に保湿空間１６の一部を構成する断面Ｕ字状の空間を形成している。【００４３】  さらに、内筒部１２は、上端内周壁面にボトル４の口の部分６（もしくはボトルの首の部分）へ係止する係止部１５を設けている。この係止部１５は、ボトル４の口の部分６へ嵌合してワインボトル用キャップ１１が簡単に抜け落ちることがないように弾性を有する部材を用いて形成されている。【００４４】  一方、外筒部１３は、断面逆Ｕ字状に形成され、図２の（ａ）に示すように、その下端縁を内筒部１２の断面Ｕ字状の開口部分へ嵌合した後、接着等の手段により一体に結合し、内筒部１２の断面Ｕ字状の空間部分と、外筒部１３の断面逆Ｕ字状の空間部分とで保湿空間１６を構成している。なお、内筒部１２の断面Ｕ字状の空間部分と外筒部１３の断面逆Ｕ字状の空間部分とは、外筒部１３の内壁面に縦に形成された複数個の溝１７を介して連通するように構成されている。【００４５】  また、内筒部１２の断面Ｕ字状の下端部分は、保湿用の水を貯えるための水溜め部１８として利用することができる。この水溜め部１８に貯えられた湿潤環境を保持するための僅かな水は、ボトル４を横にして保存した場合においても、外筒部１３下端で止水され、溝１７を通じて外筒部１３の保湿空間１６への流入を防ぎ、コルク栓５が水に漬かった状態にならないように構成している。【００４６】  上記のように構成された本発明のワインボトル用キャップ１１は、使用する前に、受容空間１４を通じて保湿空間１６内へ適量の水を注入する。この保湿空間１６へ注入される水は、受容空間１４を通じて、先に、外筒部１３側の保湿空間１６内へ流入する。この外筒部１３側の保湿空間１６内へ流入した水は、外筒部１３の内壁面を濡らし、水滴として付着した後、内筒部１２の水溜め部１８に貯水される。この水溜め部１８に貯水される水の量は、保湿空間１６内の湿潤環境を維持するだけでよいため、極めて微量の水を貯めるだけでよい。【００４７】  保湿空間１６へ水を注入した後、内筒部１２に形成した受容空間１４内へボトル４の口の部分６を挿入し、コルク栓５の上端部分を外筒部１３側の保湿空間１６内に突出させた状態でワインボトル用キャップ１１をボトル４に係止する。この係止により保湿空間１６を完全に密閉状態とする。密閉された保湿空間１６は、環境の温度変化に追従する湿潤環境を形成することができる。【００４８】  すなわち、ワインボトル用キャップ１１の外部温度が上昇すると、保湿空間１６内の水が気化して水蒸気化し、また、温度が下がれば結露するという循環を保湿空間１６内で発生させることができ、コルク栓５の乾燥を防止するとともに、ボトル４内のワインの呼吸を行わせることができる。さらに、コルク栓５は、密閉された保湿空間１６内に位置するため、コルク栓５を介したボトル４内への臭気の進入を確実に防止することができる。
【実施例３】
【００４９】  次に、図３に基づいて、本発明の第３の実施の形態について説明する。【００５０】  図３において、（ａ）はワインボトル用キャップ２１を示す断面図、（ｂ）はワインボトル用キャップ２１の外筒部２３に注水用キャップ２４を装着する前の状態を示す斜視図、（ｃ）はワインボトル用キャップ２１をボトル４に被せた状態を示す要部断面図である。【００５１】  図３において、ワインボトル用キャップ２１は、透過性合成樹脂またはガラス等の不透水性の部材を用いて成型された断面Ｕ字状の周壁を備えたドーナツ形状からなり、その内側に形成されたやや背の低い内筒部２２と、その内筒部２２を包み込むように外側に形成された外筒部２３とを一体に設けている。【００５２】  内筒部２２は、その内側に受容空間２５を有し、コルク栓５によって密栓されたボトル４の少なくとも口の部分６を挿入または離脱自在に形成している。また、内筒部２２は、上端内側にボトル４の口の部分６（もしくはボトルの首の部分）へ係止する係止部２６を設けている。この係止部２６は、ボトル４の口の部分６へ嵌合してワインボトル用キャップ２１が簡単に抜け落ちることがないように弾性を有する部材を用いて形成されている。【００５３】  一方、外筒部２３は、上部に保湿空間２７を形成している。この保湿空間２７は、注水用キャップ２４を外筒部２３の上端開口部に装着して閉蓋した際に、その注水用キャップ２４で閉じられた空間内に構成される。また、断面Ｕ字状の部分の特に湾曲した部分は、保湿用の水を貯えるための水溜め部２８として利用することができる。【００５４】  上記のように構成された本発明のワインボトル用キャップ２１を使用する際は、まず、内筒部２２に形成した受容空間２５内へボトル４の口の部分６を挿入して、係止部２７をボトル４の口の部分６へ嵌合し、コルク栓５の上端部分を保湿空間２７内に突出させた状態でワインボトル用キャップ２１をボトル４に係止する。【００５５】  次に、注水用キャップ２４を取り外し、保湿空間２７内へ適量の水を注入する。この保湿空間２７へ注入された水は、外筒部２３の内壁面を濡らし、水滴として付着した後、水溜め部２８に貯水される。この水溜め部２８に貯水される水の量は、保湿空間２７内の湿潤環境を維持するだけでよいため、極めて微量の水を貯めるだけでよい。【００５６】  保湿空間２７へ水を注入した後、合成樹脂等からなる注水用キャップ２４を閉蓋し、保湿空間２７を完全に密閉状態とする。密閉された保湿空間２７は、環境の温度変化に追従する湿潤環境を形成することができる。すなわち、ワインボトル用キャップ２１の外部温度が上昇すると、保湿空間２７内の水が気化して水蒸気化し、また、温度が下がれば結露するという循環を保湿空間２７内で発生させることができ、コルク栓５の乾燥を防止するとともに、ボトル４内のワインの呼吸を行わせることができる。さらに、コルク栓５は、密閉された保湿空間２７内に位置するため、コルク栓５を介したボトル４内への臭気の進入を確実に防止することができる。
【実施例４】
【００５７】  次に、図４に基づいて、本発明の第４の実施の形態について説明する。なお、上述した第３の実施の形態と同一部分には、同一符号を付し、その共通する箇所の詳細な説明は重複するため省略し、第４の実施の形態の特長とするところを中心に説明する。【００５８】  図４において、（ａ）はワインボトル用キャップ２１を示す断面図、（ｂ）はワインボトル用キャップ２１の外筒部２３に取り付ける注水用キャップ２９と、その注水用キャップ２９の蓋３０を装着する前の状態を示す斜視図、（ｃ）はワインボトル用キャップ２１をボトル４に被せた状態を示す要部断面図である。【００５９】  図４に示す本発明の第４の実施の形態におけるワインボトル用キャップ２１は、外筒部２３の上端開口部に嵌合して取り付ける合成樹脂等からなる注水用キャップ２９を備えている。また、この注水用キャップ２９は、合成樹脂等からなる蓋３０を有するダブルキャップ式を採用したことを特長としている。【００６０】  注水用キャップ２９は、受け皿状に形成され、その底の部分には、保湿空間２７へ水を補給するための複数個の注水口２９１を設けている。また、この注水用キャップ２９は、蓋３０が設けられていて、水の補給が完了した後には、その蓋３０で注水用キャップ２９を閉蓋し、再び、保湿空間２７の密閉状態を保持することができるようにしている。また、ダブルキャップ式としたことにより、外筒部２３の開口部分をより広く開放することが可能となり、保湿空間２７及び水溜め部２８のクリーニングを容易に行うことができる。
【符号の説明】
【００６１】１、１１、２１    ワインボトル用キャップ
２、１２、２２    内筒部
３、１３、２３    外筒部
４                ボトル
５                コルク栓
６                口の部分
７、１４、２５    受容空間
８、１５、２６    係止部
９、１６、２７    保湿空間
１０、１８、２８  水溜め部
１７              溝
２４、２９        注水キャップ
３０              蓋
２９１            注水口
【図１】
2011006146.tif 000003
【図２】
2011006146.tif 000004
【図３】
2011006146.tif 000005
【図４】
2011006146.tif 000006